(57)【特許請求の範囲】
【請求項１】
複数の第１液晶セル領域を有する第１基板と、
前記第１基板の前記第１液晶セル領域の表面上に形成される導電性の遮光膜と、
前記導電性の遮光膜の表面上に形成されるカラーフィルタとを備え、
前記複数の第１液晶セル領域のうち、隣接する前記第１液晶セル領域に形成される前記遮光膜同士は、前記遮光膜と一体的に形成された第１短絡配線部により電気的に接続されていて、
前記遮光膜と一体的に形成された前記第１短絡配線部は、前記第１基板の表面に設けられる偏光板の位置合わせのためのアライメントマーク部と、隣接する前記第１液晶セル領域に対応する前記アライメントマーク部同士を接続する接続部とを含み、
前記アライメントマーク部は、前記第１基板の前記複数の第１液晶セル領域を個々の第１液晶セル領域に分断する際の分断線より内側で、かつ、前記遮光膜の外周部に複数設けられており、
前記第１短絡配線部の前記接続部は、平面的に見て所定の方向に沿って所定の間隔を隔てて複数配置されており、
前記分断線が、前記所定の方向に沿って配置された複数の前記接続部の中心を結んだ直線に沿って前記複数の第１液晶セル領域を分断するように設定されている、液晶表示装置用基板。
【請求項２】
前記アライメントマーク部は、前記第１液晶セル領域から前記分断線に直交する方向に延びるように形成され、それぞれ第１矩形部および２つの第２矩形部を含み、前記第２矩形部がそれぞれ連結部により前記第１矩形部と連結されている、請求項１に記載の液晶表示装置用基板。
【請求項３】
前記第１短絡配線部の電位および前記遮光膜の電位は、フローティング電位である、請求項１に記載の液晶表示装置用基板。
【請求項４】
前記第１短絡配線部は、前記複数の第１液晶セル領域のうち、第１の方向に隣接する前記第１液晶セル領域間に配置されるとともに、前記第１の方向に直交する第２の方向に隣接する前記第１液晶セル領域間にも配置され、前記第１基板上の外周部を取り囲むように、前記遮光膜および前記第１短絡配線部と一体的に形成される第２短絡配線部が形成されている、請求項１に記載の液晶表示装置用基板。
【請求項５】
前記第１基板の前記第１液晶セル領域に対応するように複数の第２液晶セル領域を有する第２基板と、
前記第２基板の前記第２液晶セル領域の表面上に形成される画素電極および共通電位線とをさらに備え、
前記複数の第２液晶セル領域のうち、隣接する前記第２液晶セル領域に形成される前記共通電位線同士は、少なくとも前記画素電極と同一層からなる導電性膜を介して電気的に接続されている、請求項１に記載の液晶表示装置用基板。
【請求項６】
前記導電性膜の電位および前記共通電位線の電位は、フローティング電位である、請求項５に記載の液晶表示装置用基板。
【発明の詳細な説明】
【技術分野】
【０００１】
本発明は、液晶表示装置用基板に関し、特に、液晶表示装置用基板に加わる静電気によ
る静電気破壊を抑制するための短絡配線を備える液晶表示装置用基板に関する。
【背景技術】
【０００２】
従来、静電気による静電気破壊を抑制するための短絡配線を備える液晶表示装置用基板
が知られている（たとえば、特許文献１参照）。上記特許文献１に開示される液晶表示装
置用基板では、マスター基板（配線基板）上に複数の液晶セル領域を有しており、隣接す
る液晶セル領域の表面上に形成されるソース電極配線同士およびゲート電極配線同士が電
気的に接続されている。また、各液晶セル領域を分断する分断線近傍において、隣接する
液晶セル領域間で接続されるソース電極配線およびゲート電極配線は、短絡配線によって
電気的に接続されている。これにより、マスター基板の各液晶セル領域の表面上に形成さ
れるソース電極配線およびゲート電極配線の電位が等しくなるので、ソース電極配線およ
びゲート電極配線に蓄積される静電気が拡散される。その結果、各電極配線に蓄積される
静電気の電位差が大きくなることに起因して各電極配線間で静電気が放電することが抑制
されるので、マスター基板の液晶セル領域に形成される素子などの静電気破壊を抑制する
ことが可能となる。
【０００３】
また、短絡配線は、分断線に交差するとともに、隣接する２つの液晶セル領域の表面上
に形成されるソース電極配線（ゲート電極配線）を交互に接続するようにジグザグ状に配
置されている。これにより、マスター基板を分断線に沿って切断したときに、ソース電極
配線同士（ゲート電極配線同士）を接続する短絡配線も各ソース電極配線（ゲート電極配
線）ごとに分断され、各ソース電極配線（ゲート電極配線）が電気的に分断されるので、
短絡配線を別途除去する必要がない。
【０００４】
【特許文献１】特開平８−１４８７７０号公報
【発明の開示】
【発明が解決しようとする課題】
【０００５】
しかしながら、上記特許文献１に記載の液晶表示装置用基板では、マスター基板を分断
線に沿って分断して各液晶セル領域に分断した後、各液晶セル領域の表面上には電気的に
接続されない分断された短絡配線が形成されたまま残るという不都合がある。上記特許文
献１では、この電気的に接続されない分断された短絡配線に静電気が帯電し、この静電気
によって静電気破壊が起きるという問題点があると考えられる。
【０００６】
この発明は、上記のような課題を解決するためになされたものであり、この発明の１つ
の目的は、液晶表示装置用基板を各液晶セル領域ごとに分断した後に、液晶表示装置用基
板上に形成される素子などが静電気により破壊されるのを抑制することが可能な液晶表示
装置用基板を提供することである。
【課題を解決するための手段および発明の効果】
【０００７】
上記目的を達成するために、この発明の一の局面における液晶表示装置用基板は、複数の第１液晶セル領域を有する第１基板と、第１基板の第１液晶セル領域の表面上に形成される導電性の遮光膜と、導電性の遮光膜の表面上に形成されるカラーフィルタとを備え、複数の第１液晶セル領域のうち、隣接する第１液晶セル領域に形成される遮光膜同士は、遮光膜と一体的に形成された第１短絡配線部により電気的に接続されていて、遮光膜と一体的に形成された第１短絡配線部は、第１基板の表面に設けられる偏光板の位置合わせのためのアライメントマーク部と、隣接する第１液晶セル領域に対応するアライメントマーク部同士を接続する接続部とを含み、アライメントマーク部は、第１基板の複数の第１液晶セル領域を個々の第１液晶セル領域に分断する際の分断線より内側で、かつ、遮光膜の外周部に複数設けられており、第１短絡配線部の接続部は、平面的に見て所定の方向に沿って所定の間隔を隔てて複数配置されており、分断線が、所定の方向に沿って配置された複数の接続部の中心を結んだ直線に沿って複数の第１液晶セル領域を分断するように設定されている。
【０００８】
この一の局面による液晶表示装置用基板では、上記のように、複数の第１液晶セル領域のうち、隣接する第１液晶セル領域に形成される遮光膜同士を、遮光膜と一体的に形成された第１短絡配線部により電気的に接続することによって、第１基板上に静電気が発生しても、電気的に接続される複数の第１液晶セル領域に形成される遮光膜によって静電気が拡散されるので、第１基板上に形成される素子などが静電気により破壊されるのを抑制することができる。また、隣接する第１液晶セル領域に形成される遮光膜同士を、遮光膜と一体的に形成された第１短絡配線部により電気的に接続することによって、隣接する第１液晶セル領域に形成される遮光膜同士を電気的に接続しない場合と異なり、隣接する遮光膜間で静電気が放電するのを抑制することができる。これにより、第１液晶セル領域間の距離を小さくすることができるので、第１基板上に形成することが可能な第１液晶セル領域の数を多くすることができる。また、第１短絡配線部を遮光膜と一体的に形成することにより、液晶表示装置用基板を各第１液晶セル領域ごとに分断した後でも、第１短絡配線部と遮光膜とは電気的に接続されたままとなる。これにより、複数の第１液晶セル領域を個々の第１液晶セル領域に分断した後に第１短絡配線部と遮光膜とが電気的に接続されない場合と異なり、第１短絡配線部や遮光膜に静電気が蓄積されても、第１短絡配線部と遮光膜との間（第１短絡配線部間）で静電気が放電するのを抑制することができる。その結果、第１基板を各第１液晶セル領域ごとに分断した後でも、第１基板上に形成される素子などが静電気により破壊されるのを抑制することができる。
【０００９】
上記一の局面による液晶表示装置用基板においては、遮光膜と一体的に形成された第１短絡配線部は、第１基板の表面に設けられる偏光板の位置合わせのためのアライメントマーク部と、隣接する第１液晶セル領域に対応するアライメントマーク部同士を接続する接続部とを有する。このように構成すれば、アライメントマーク部を第１短絡配線部と一体的に形成することができるので、アライメントマーク部を別途形成する必要がなくなる。
【００１０】
また、アライメントマーク部は、第１基板の複数の第１液晶セル領域を個々の第１液晶セル領域に分断する際の分断線より内側で、かつ、遮光膜の外周部に複数設けられているので、アライメントマーク部が、分断線上に形成されている場合と異なり、第１基板の複数の第１液晶セル領域を個々の第１液晶セル領域に分断する際に、アライメントマーク部が分断されることがない。したがって、偏光板の位置合わせを確実に行える。また、アライメントマーク部を遮光膜の外周部に設けることにより、遮光膜上に形成されるカラーフィルタなどによって、アライメントマーク部が見えなくなるのを容易に抑制することができる。
【００１１】
上記アライメントマーク部が分断線より内側に設けられている液晶表示装置用基板において、第１短絡配線部は、隣接する第１液晶セル領域に対応するアライメントマーク部同士を接続する接続部をさらに含むので、隣接する第１液晶セル領域上に設けられるアライメントマーク部のうち、一方のアライメントマーク部と他方のアライメントマーク部との接続部上の中心を基準にすることにより、容易に、第１基板を個々の第１液晶セル領域に分断するための分断線を決めることができる。
【００１２】
上記第１短絡配線部に接続部が含まれている液晶表示装置用基板において、好ましくは、第１短絡配線部の接続部は、平面的に見て所定の方向に沿って所定の間隔を隔てて複数配置されており、前記分断線が、所定の方向に沿って配置された複数の接続部の中心を結んだ直線に沿って複数の第１液晶セル領域を分断するように設定されているので、容易に、第１液晶セル領域を直線状に分断することができる。
【００１３】
上記一の局面による液晶表示装置用基板において、好ましくは、第１短絡配線部の電位
および遮光膜の電位は、フローティング電位である。このように構成すれば、第１基板に
発生した静電気を、容易に、第１短絡配線部および遮光膜に拡散することができる。
【００１４】
上記一の局面による液晶表示装置用基板において、好ましくは、第１短絡配線部は、複
数の第１液晶セル領域のうち、第１の方向に隣接する第１液晶セル領域間に配置されると
ともに、第１の方向に直交する第２の方向に隣接する第１液晶セル領域間にも配置されて
いる。このように構成すれば、第１の方向に隣接する第１液晶セル領域間が電気的に接続
されるとともに、第２の方向に隣接する第１液晶セル領域間も電気的に接続されるので、
第１の方向または第２の方向にのみ隣接する第１液晶セル領域間を電気的に接続する場合
と異なり、第１基板に発生した静電気を、より拡散することができる。
【００１５】
上記一の局面による液晶表示装置用基板において、好ましくは、第１基板上の外周部を
取り囲むように、遮光膜および第１短絡配線部と一体的に形成される第２短絡配線部が形
成されている。このように構成すれば、複数の第１液晶セル領域のうち、最外周部に配置
される第１液晶セル領域に設けられる遮光膜および第１短絡配線部が第２短絡配線部によ
り電気的に接続されるので、第１基板に発生した静電気を、さらに拡散することができる
。
【００１６】
上記一の局面による液晶表示装置用基板において、好ましくは、第１基板の第１液晶セ
ル領域に対応するように複数の第２液晶セル領域を有する第２基板と、第２基板の第２液
晶セル領域の表面上に形成される画素電極および共通電位線とをさらに備え、複数の第２
液晶セル領域のうち、隣接する第２液晶セル領域に形成される共通電位線同士は、少なく
とも画素電極と同一層からなる導電性膜を介して電気的に接続されている。このように構
成すれば、隣接する第２液晶セル領域に形成される共通電位線同士が電気的に接続される
ので、第２基板に発生する静電気を複数の第２液晶セル領域に形成される共通電位線に拡
散することができる。これにより、第２基板上に形成される素子などが静電気により破壊
されるのを抑制することができる。
【００１７】
この場合、好ましくは、導電性膜の電位および共通電位線の電位は、フローティング電
位である。このように構成すれば、第２基板に発生した静電気を、容易に、導電性膜およ
び共通電位線に拡散することができる。
【発明を実施するための最良の形態】
【００１８】
以下、本発明の実施形態を図面に基づいて説明する。
【００１９】
（第１実施形態）
図１は、本発明の第１実施形態によるカラーフィルタ側の液晶表示装置用基板の平面図
である。図２は、図１の液晶セル領域の拡大図である。図３および図４は、本発明の第１
実施形態によるＸ方向およびＹ方向に隣接する液晶セル領域間の短絡配線部の平面図であ
る。まず、図１〜図４を参照して、本発明の第１実施形態による液晶表示装置用基板１０
０の構成について説明する。
【００２０】
第１実施形態による液晶表示装置用基板１００は、図１に示すように、マトリクス状に
配置される複数の液晶セル領域２を有するガラス基板１から構成されている。なお、ガラ
ス基板１は、本発明の「第１基板」の一例である。また、液晶セル領域２は、本発明の「
第１液晶セル領域」の一例である。また、ガラス基板１と液晶セル領域２とは、平面的に
見て矩形状に形成されている。また、ガラス基板１上の1点鎖線は、複数の液晶セル領域
２を各々の液晶セル領域２に分断する際の分断線５０である。また、ガラス基板１上の液
晶セル領域２には、それぞれ、導電性の部材からなるマトリクス状の遮光膜３が形成され
ている。なお、マトリクス状の遮光膜３の外周部は、後述するガラス基板１１上の液晶セ
ル領域１２（図５参照）の表示領域１３の外側に形成される図示しないダミー画素や配線
の引き回し部を覆うように、マトリクス状の部分と比較して幅が大きくなるように形成さ
れている。
【００２１】
ここで、第１実施形態では、図１および図２に示すように、複数の液晶セル領域２のう
ち、隣接する液晶セル領域２に形成されるマトリクス状の遮光膜３同士は、遮光膜３と一
体的に形成される短絡配線部４により電気的に接続されている。なお、短絡配線部４は、
本発明の「第１短絡配線部」の一例である。また、第１実施形態では、短絡配線部４は、
複数の液晶セル領域２のうち、Ｘ方向に隣接する液晶セル領域２間に配置されるとともに
、Ｘ方向に直交するＹ方向に隣接する液晶セル領域２間にも配置されている。なお、Ｘ方
向およびＹ方向は、本発明の「第１の方向」および「第２の方向」の一例である。また、
短絡配線部４は、１つの液晶セル領域２において、Ｘ方向に４つ、および、Ｙ方向に４つ
の合計８つの短絡配線部４が配置されている。また、第１実施形態では、短絡配線部４の
電位および遮光膜３の電位は、フローティング電位になるように構成されている。また、
第１実施形態では、ガラス基板１の外周部に沿って、遮光膜３および短絡配線部４と一体
的に形成された短絡配線部４ａが形成されている。なお、短絡配線部４ａは、本発明の「
第２短絡配線部」の一例である。
【００２２】
また、第１実施形態では、図３および図４に示すように、短絡配線部４は、ガラス基板
１の表面に設けられる偏光板の位置合わせのためのアライメントマーク部４ｂを含んでい
る。また、第１実施形態では、アライメントマーク部４ｂは、ガラス基板１の複数の液晶
セル領域２を個々の液晶セル領域２に分断する際の分断線５０より内側で、かつ、遮光膜
３の外周部に設けられている。また、アライメントマーク部４ｂは、液晶セル領域２の分
断線５０に直交する方向に延びるように形成される１つの矩形部４１ｂおよび２つの矩形
部４２ｂを含んでいる。また、矩形部４１ｂと矩形部４２ｂとは、連結部４３ｂにより連
結されている。また、第１実施形態では、隣接する液晶セル領域２に設けられる短絡配線
部４のアライメントマーク部４ｂ同士は、矩形部４１ｂを接続する接続部４ｃにより電気
的に接続されている。
【００２３】
また、第１実施形態では、図２に示すように、短絡配線部４の接続部４ｃは、平面的に
見てＸ方向およびＹ方向に沿って所定の間隔を隔てて複数配置されており、Ｘ方向および
Ｙ方向に沿って配置された複数の接続部４ｃの中心を結んだ分断線５０に沿って複数の液
晶セル領域２を分断するように構成されている。具体的には、図３および図４に示すよう
に、隣接するアライメントマーク部４ｂの矩形部４１ｂ間の中心点および矩形部４２ｂ間
の中心点を、たとえば顕微鏡などによって位置出しするとともに、図２に示すように、Ｘ
方向（Ｙ方向）に沿って所定の間隔を隔てて配置されたアライメントマーク部４ｂの中心
点同士を結ぶことによって、分断線５０が決められるように構成されている。
【００２４】
また、図２に示すように、液晶セル領域２には、遮光膜３の表面上に赤（Ｒ）、緑（Ｇ
）および青（Ｂ）からなるカラーフィルタ５が設けられている。なお、カラーフィルタ５
は、赤（Ｒ）、緑（Ｇ）および青（Ｂ）のカラーフィルタ５がストライプ状に配置されて
いる。なお、図２では、図面の簡略化のため、１つの液晶セル領域２にのみカラーフィル
タ５を図示しているが、実際は全ての液晶セル領域２にカラーフィルタ５が設けられてい
る。
【００２５】
第１実施形態では、上記のように、複数の液晶セル領域２のうち、隣接する液晶セル領
域２に形成される遮光膜３同士を、遮光膜３からなる短絡配線部４により電気的に接続す
ることによって、ガラス基板１上に静電気が発生しても、電気的に接続される複数の液晶
セル領域２に形成される遮光膜３によって静電気が拡散されるので、ガラス基板１上に形
成される素子などが静電気により破壊されるのを抑制することができる。また、隣接する
液晶セル領域２に形成される遮光膜３同士を、遮光膜３からなる短絡配線部４により電気
的に接続することによって、隣接する液晶セル領域２に形成される遮光膜３同士を電気的
に接続しない場合と異なり、隣接する遮光膜３間で静電気が放電するのを抑制することが
できる。これにより、液晶セル領域２間の距離を小さくすることができるので、ガラス基
板１上に形成することが可能な液晶セル領域２の数を多くすることができる。また、短絡
配線部４を遮光膜３から形成することにより、液晶表示装置用基板１００を各液晶セル領
域２ごとに分断した後でも、短絡配線部４と遮光膜３とは電気的に接続されたままとなる
。これにより、複数の液晶セル領域２を個々の液晶セル領域２に分断した後に短絡配線部
４と遮光膜３とが電気的に接続されない場合と異なり、短絡配線部４や遮光膜３に静電気
が蓄積されても、短絡配線部４と遮光膜３との間（短絡配線部４間）で静電気が放電する
のを抑制することができる。その結果、ガラス基板１を各液晶セル領域２ごとに分断した
後でも、ガラス基板１上に形成される素子などが静電気により破壊されるのを抑制するこ
とができる。
【００２６】
また、第１実施形態では、上記のように、遮光膜３からなる短絡配線部４は、ガラス基
板１の表面に設けられる偏光板の位置合わせのためのアライメントマーク部４ｂを含むよ
うに構成することによって、アライメントマーク部４ｂが短絡配線部４と一体的に形成す
ることができるので、アライメントマーク部４ｂを別途形成する必要がなくなる。
【００２７】
また、第１実施形態では、上記のように、アライメントマーク部４ｂを、ガラス基板１
の複数の液晶セル領域２を個々の液晶セル領域２に分断する際の分断線５０より内側で、
かつ、遮光膜３の外周部に設ける。これにより、アライメントマーク部４ｂが、分断線５
０上に形成されている場合と異なり、ガラス基板１の複数の液晶セル領域２を個々の液晶
セル領域２に分断する際に、アライメントマーク部４ｂが分断されるのを容易に抑制する
ことができる。また、アライメントマーク部４ｂを遮光膜３の外周に設けることにより、
液晶セル領域２に形成されるカラーフィルタ５などによって、アライメントマーク部４ｂ
が見えなくなるのを容易に抑制することができる。
【００２８】
また、第１実施形態では、上記のように、短絡配線部４が、隣接する液晶セル領域２に
対応するアライメントマーク部４ｂ同士を接続する接続部４ｃを含むように構成すること
によって、隣接する液晶セル領域２上に設けられるアライメントマーク部４ｂのうち、一
方のアライメントマーク部４ｂと他方のアライメントマーク部４ｂとの接続部４ｃ上の中
心を基準にすることにより、容易に、ガラス基板１を個々の液晶セル領域２に分断するた
めの分断線５０を決めることができる。
【００２９】
また、第１実施形態では、上記のように、短絡配線部４の接続部４ｃを、平面的に見て
Ｘ方向およびＹ方向に沿って所定の間隔を隔てて複数配置し、Ｘ方向およびＹ方向に沿っ
て配置された複数の接続部４ｃの中心を結んだ直線に沿って複数の液晶セル領域２を分断
するように構成する。これにより、容易に、液晶セル領域２を直線状に分断することがで
きる。
【００３０】
また、第１実施形態では、上記のように、短絡配線部４の電位および遮光膜３の電位を
、フローティング電位にすることによって、ガラス基板１に発生した静電気を、容易に、
短絡配線部４および遮光膜３に拡散することができる。
【００３１】
また、第１実施形態では、上記のように、短絡配線部４を、複数の液晶セル領域２のう
ち、Ｘ方向に隣接する液晶セル領域２間に配置するとともに、Ｘ方向に直交するＹ方向に
隣接する液晶セル領域２間にも配置することによって、Ｘ方向に隣接する液晶セル領域２
間が電気的に接続されるとともに、Ｙ方向に隣接する液晶セル領域２間も電気的に接続さ
れるので、Ｘ方向またはＹ方向にのみ隣接する液晶セル領域２間を電気的に接続する場合
と異なり、ガラス基板１に発生した静電気を、より拡散することができる。
【００３２】
また、第１実施形態では、上記のように、ガラス基板１上の外周部を取り囲むように、
遮光膜３および短絡配線部４と一体的に形成される短絡配線部４ａを形成することにより
、複数の液晶セル領域２のうち、最外周部に配置される液晶セル領域２に設けられる遮光
膜３および短絡配線部４が短絡配線部４ａにより電気的に接続されるので、ガラス基板１
に発生した静電気をさらに拡散することができる。
【００３３】
（第２実施形態）
図５は、本発明の第２実施形態によるアレイ側の液晶表示装置用基板の平面図である。
図６は、図５の液晶セル領域の拡大図である。次に、図５および図６を参照して、この第
２実施形態では、上記第１実施形態と異なり、液晶セル領域１２のそれぞれに設けられる
共通電位線１５が電気的に接続されている液晶表示装置用基板１０１について説明する。
【００３４】
第２実施形態による液晶表示装置用基板１０１は、図５に示すように、マトリクス状に
配置される複数の液晶セル領域１２を有するガラス基板１１から構成されている。なお、
ガラス基板１１は、本発明の「第２基板」の一例である。また、ガラス基板１１と液晶セ
ル領域１２とは、矩形状に形成されている。また、ガラス基板１１上の1点鎖線は、複数
の液晶セル領域１２を各々の液晶セル領域１２に分断する際の分断線６０である。また、
ガラス基板１１上の液晶セル領域１２は、図示しない画素が形成される表示領域１３が含
まれている。また、図６に示すように、表示領域１３中の点線で囲まれた領域は、画素が
形成される領域であり、この領域には、透明電極としてのＩＴＯ（Ｉｎｄｉｕｍ  Ｔｉｎ
Ｏｘｉｄｅ）からなる画素電極１４が形成されている。なお、図６では、図面の簡略化
のため、画素が形成される領域の一部に画素電極１４が図示されているが、実際は全ての
画素が形成される領域に画素電極１４が形成されている。
【００３５】
また、図６に示すように、ガラス基板１１上の複数の液晶セル領域１２の表面上の表示
領域１３の周囲には、共通電位線１５が設けられている。また、共通電位線１５の端部に
は、接続端子１６が形成されている。また、接続端子１６は、共通電位線１５の端部のみ
ならず、図示しない走査線駆動回路やデータ線駆動回路に接続される複数の接続端子１６
も設けられている。なお、図６では、共通電位線１５の形成領域を明示するために、４つ
の液晶セル領域１２のうち、上段の２つの液晶セル領域１２の共通電位線１５を接続する
、後述するＩＴＯ膜１７は、図示していない。
【００３６】
ここで、第２実施形態では、図５および図６に示すように、Ｘ方向に隣接する液晶セル
領域１２に形成される共通電位線１５同士は、画素電極１４と同一層からなるＩＴＯ膜（
透明電極）１７を介して電気的に接続されている。なお、ＩＴＯ膜１７は、本発明の「導
電性膜」の一例である。また、Ｙ方向に隣接するガラス基板１１の液晶セル領域１２上に
形成される接続端子１６と共通電位線１５とがＩＴＯ膜１７によって電気的に接続されて
いる。これにより、Ｙ方向に隣接するガラス基板１１の液晶セル領域１２の表面上に形成
される共通電位線１５同士が電気的に接続される。また、図５に示すように、ガラス基板
１１の外周部を取り囲むように、ＩＴＯ膜１７ａが形成されている。このＩＴＯ膜１７ａ
と、各液晶セル領域１２の共通電位線１５を接続するＩＴＯ膜１７とは、図７のコンタク
ト部１８でコンタクトホールを介して電気的に接続されている。これにより、複数の液晶
セル領域１２のうち、外側の液晶セル領域１２の表面上に形成される共通電位線１５同士
も電気的に接続されるので、ガラス基板１１上に発生する静電気を、より拡散することが
可能となる。
【００３７】
図７は、本発明の第１実施形態および第２実施形態の液晶表示装置用基板を積層した状
態を第１実施形態の液晶表示装置用基板側から見た平面図である。次に、図７を参照して
、偏光板を貼り付ける際の位置決めについて説明する。なお、図７は、複数の液晶セル領
域２（液晶セル領域１２）が分断線５０（６０）に沿って分断された後の状態を示してい
る。
【００３８】
図７に示すように、分断後の液晶表示装置用基板１００の液晶セル領域２と、分断後の
液晶表示装置用基板１０１の液晶セル領域１２とが、Ａｕを介在させて液晶表示装置用基
板１００と電気的に導通させるコンタクト部１８を介して積層されている。なお、コンタ
クト部１８は、液晶表示装置用基板１０１側の画素電極１４（図６参照）と図示しない液
晶表示装置用基板１００側の共通電極とを電気的に接続するように構成されている。また
、コンタクト部１８は、隣接する液晶セル領域１２間の共通電位線１５（図６参照）を電
気的に接続するＩＴＯ膜１７とも電気的に接続されている。ここで、第２実施形態では、
ＩＴＯ膜１７の電位および共通電位線１５の電位は、フローティング電位である。また、
図７に示すように、遮光膜３のＸ方向に沿う辺上と、Ｙ方向に沿う辺上とに、それぞれ、
短絡配線部４が形成されている。なお、遮光膜３の角部には、コンタクト部１８が配置可
能なように、切欠き部３ｃが設けられている。そして、遮光膜３のＸ方向に沿う辺上に形
成される短絡配線部４のアライメントマーク部４ｂの矩形部４１ｂのＸ方向の中心線７１
と、遮光膜３のＹ方向に沿う辺上に形成される短絡配線部４のアライメントマーク部４ｂ
の矩形部４１ｂのＹ方向の中心線７２との交点をＡ点とする。このＡ点を貼り付け位置の
基準として、偏光板がガラス基板１の液晶セル領域２の表面上に貼り付けられる。
【００３９】
第２実施形態では、上記のように、複数の液晶セル領域１２のうち、隣接する液晶セル
領域１２に形成される共通電位線１５同士を、画素電極１４と同一層からなるＩＴＯ膜１
７（ＩＴＯ膜１７および接続端子１６）を介して電気的に接続することによって、隣接す
る液晶セル領域１２に形成される共通電位線１５同士が電気的に接続されるので、ガラス
基板１１に発生する静電気を複数の液晶セル領域１２に形成される共通電位線１５に拡散
することができる。これにより、ガラス基板１１上に形成される素子などが静電気により
破壊されるのを抑制することができる。
【００４０】
また、第２実施形態では、上記のように、共通電位線１５の電位およびＩＴＯ膜１７の
電位を、フローティング電位にすることによって、ガラス基板１１に発生した静電気を、
容易に、共通電位線１５およびＩＴＯ膜１７に拡散することができる。
【００４１】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００４２】
たとえば、上記第１実施形態では、アライメントマーク部４ｂが、１つの矩形部４１ｂ
および２つの矩形部４２ｂを有する形状である例を示したが、本発明はこれに限らず、ア
ライメントマーク部の形状が十字形状であってもよいし、三角形状であってもよい。
【００４３】
また、上記第１実施形態では、１つの液晶セル領域２の表面上に８つの短絡配線部４を
配置する例を示したが、本発明はこれに限らず、１つの液晶セル領域２の表面上に８つ未
満または８つを超える短絡配線部４を配置してもよい。
【００４４】
また、上記第１実施形態では、液晶セル領域２の表面上にストライプ状の赤（Ｒ）、緑
（Ｇ）および青（Ｂ）のカラーフィルタ５を形成する例を示したが、本発明はこれに限ら
ず、液晶セル領域２の表面上にマトリクス状の赤（Ｒ）、緑（Ｇ）および青（Ｂ）のカラ
ーフィルタを形成してもよい。
【図面の簡単な説明】
【００４５】
【図１】本発明の第１実施形態によるカラーフィルタ側の液晶表示装置用基板の平面図である。
【図２】図１の液晶セル領域の拡大図である。
【図３】本発明の第１実施形態によるＸ方向に隣接する液晶セル領域間の短絡配線部の平面図である。
【図４】本発明の第１実施形態によるＹ方向に隣接する液晶セル領域間の短絡配線部の平面図である。
【図５】本発明の第２実施形態によるアレイ側の液晶表示装置用基板の平面図である。
【図６】図５の液晶セル領域の拡大図である。
【図７】本発明の第１実施形態および第２実施形態の液晶表示装置用基板を積層した状態を第１実施形態の液晶表示装置用基板側から見た平面図である。
【符号の説明】
【００４６】
１  ガラス基板（第１基板）
２  液晶セル領域（第１液晶セル領域）
３  遮光膜
４  短絡配線部（第１短絡配線部）
４ａ  短絡配線部（第２短絡配線部）
４ｂ  アライメントマーク部
４ｃ  接続部
５  カラーフィルタ
１１  ガラス基板（第２基板）
１２  液晶セル領域（第２液晶セル領域）
１４  画素電極
１５  共通電位線
１７  ＩＴＯ膜（導電性膜）
５０、６０  分断線
【図１】
0005252900.tif 000002
【図２】
0005252900.tif 000003
【図３】
0005252900.tif 000004
【図４】
0005252900.tif 000005
【図５】
0005252900.tif 000006
【図６】
0005252900.tif 000007
【図７】
0005252900.tif 000008